【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
ユーザから要求された対象データに基づいてハッシュ値を含むタイムスタンプデータを発行するタイムスタンプ装置と、当該発行されたタイムスタンプデータに対して一意の保管ＩＤを発行し、この保管ＩＤとタイムスタンプデータとを保管する保管装置と接続可能に構成された情報管理装置により行われる方法であって、
上記情報管理装置が、
タイムスタンプデータに対して上記保管装置により発行された保管ＩＤを受け付ける処理と、
上記対象データを特定する情報と、タイムスタンプデータと、受け付けた保管ＩＤとを関連付けて上記情報管理装置の記憶手段に記憶する処理と、
表示要求に応じて、上記記憶手段に記憶された対象データを特定する情報と、タイムスタンプデータと、保管ＩＤとを表示する処理と、
を有することを特徴とする情報管理方法。
【請求項２】
上記タイムスタンプ発行装置により、タイムスタンプを発行する際に当該タイムスタンプを識別するタイムスタンプＩＤがさらに発行され、このタイムスタンプＩＤを上記保管装置にあわせて送信する処理と、
上記データ記憶手段に対して、上記タイムスタンプＩＤを上記保管ＩＤに関連付けてさらに記憶する、
請求項１記載の情報管理方法。
【請求項３】
上記対象データを特定する情報を本文に記載し、上記対象データを添付して、署名欄に上記取得したタイムスタンプデータを格納した中間ＰＤＦファイルを生成する処理と、
上記受け付けた保管ＩＤを本文に記載し、上記中間ＰＤＦファイルを添付して署名欄に上記中間ＰＤＦファイルに基づいて上記タイムスタンプ装置により生成されたタイムスタンプデータを格納した包袋ＰＤＦファイルを生成する処理と、
をさらに有する請求項１記載の情報管理方法。
【請求項４】
ユーザから要求された対象データに基づいてハッシュ値を含むタイムスタンプデータを発行するタイムスタンプ装置と、当該発行されたタイムスタンプデータに対して一意の保管ＩＤを発行し、この保管ＩＤとタイムスタンプデータとを保管する保管装置と接続可能に構成された装置であって、
タイムスタンプデータに対して上記保管装置により発行された保管ＩＤを受け付ける手段と、
上記受け付けた保管ＩＤに関連付けて、上記対象データを特定する情報とタイムスタンプデータと上記保管ＩＤとを記憶する記憶手段と、
表示要求に応じて、上記記憶手段に記憶された対象データを特定する情報と、タイムスタンプデータと、保管ＩＤとを表示する表示手段と、
を有することを特徴とする情報管理装置。
【請求項５】
上記対象データを特定する情報を本文に記載し、上記対象データを添付して、署名欄に上記取得したタイムスタンプデータを格納した中間ＰＤＦファイルを生成する中間ＰＤＦファイル生成手段と、
上記取得した保管ＩＤを本文に記載し、上記中間ＰＤＦファイルを添付して署名欄に上記中間ＰＤＦファイルに基づいて上記タイムスタンプ装置により生成されたタイムスタンプデータを格納した包袋ＰＤＦファイルを生成する包袋ＰＤＦファイル生成手段と、
をさらに有する、請求項４記載の情報管理装置。
【請求項６】
ユーザから要求された対象データに基づいてハッシュ値を含むタイムスタンプデータを発行するタイムスタンプ装置と、当該発行されたタイムスタンプデータに対して一意の保管ＩＤを発行し、この保管ＩＤとタイムスタンプデータとを保管する保管装置と接続可能に構成されたコンピュータを情報管理装置として機能させるコンピュータプログラムであって、
上記コンピュータに対して、
上記保管装置により発行された保管ＩＤを受け付ける処理と、
上記対象データを特定する情報と、タイムスタンプデータと、上記受け付けた保管ＩＤとを関連付けて上記情報管理装置の記憶手段に記憶する処理と、
表示要求に応じて、上記記憶手段に記憶された対象データを特定する情報と、タイムスタンプデータと、保管ＩＤとを表示する処理と、
を実行させるコンピュータプログラム。
【請求項７】
上記対象データを特定する情報を本文に記載し、上記対象データを添付して、署名欄に上記取得したタイムスタンプデータを格納した中間ＰＤＦファイルを生成する処理と、
上記取得した保管ＩＤを本文に記載し、上記中間ＰＤＦファイルを添付して署名欄に上記中間ＰＤＦファイルに基づいて上記タイムスタンプ装置により生成されたタイムスタンプデータを格納した包袋ＰＤＦファイルを生成する処理と、
をさらに実行させる、請求項６記載のコンピュータプログラム。
【手続補正２】
【補正対象書類名】明細書
【補正対象項目名】０００６
【補正方法】変更
【補正の内容】
【０００６】
上記目的を達成するため、本発明の一の観点に係る情報管理方法は、ユーザから要求された対象データに基づいてハッシュ値を含むタイムスタンプデータを発行するタイムスタンプ装置と、当該発行されたタイムスタンプデータに対して一意の保管ＩＤを発行し、この保管ＩＤとタイムスタンプデータとを保管する保管装置と接続可能に構成された情報管理装置により行われる方法であって、上記情報管理装置が、タイムスタンプデータに対して上記保管装置により発行された保管ＩＤを受け付ける処理と、上記対象データを特定する情報と、タイムスタンプデータと、受け付けた保管ＩＤとを関連付けて上記情報管理装置の記憶手段に記憶する処理と、表示要求に応じて、上記記憶手段に記憶された対象データを特定する情報と、タイムスタンプデータと、保管ＩＤとを表示する処理と、を有することを特徴とする。
【手続補正３】
【補正対象書類名】明細書
【補正対象項目名】０００９
【補正方法】変更
【補正の内容】
【０００９】
上記対象データを特定する情報（ファイル名）を本文に記載し、上記対象データを添付して、署名欄に上記取得したタイムスタンプデータを格納した中間ＰＤＦファイルを生成する処理と、上記取得した保管ＩＤを本文に記載し、上記中間ＰＤＦファイルを添付して署名欄に上記中間ＰＤＦファイルに基づいて上記タイムスタンプ装置により生成されたタイムスタンプデータを格納した包袋ＰＤＦファイルを生成する処理とをさらに有してもよい。
【手続補正４】
【補正対象書類名】明細書
【補正対象項目名】００１０
【補正方法】変更
【補正の内容】
【００１０】
本発明の一の観点にかかる情報管理装置は、ユーザから要求された対象データに基づいてハッシュ値を含むタイムスタンプデータを発行するタイムスタンプ装置と、当該発行されたタイムスタンプデータに対して一意の保管ＩＤを発行し、この保管ＩＤとタイムスタンプデータとを保管する保管装置と接続可能に構成された装置であって、タイムスタンプデータに対して上記保管装置により発行された保管ＩＤを受け付ける手段と、上記受け付けた保管ＩＤに関連付けて、上記対象データを特定する情報とタイムスタンプデータと上記保管ＩＤとを記憶する記憶手段と、表示要求に応じて、上記記憶手段に記憶された対象データを特定する情報と、タイムスタンプデータと、保管ＩＤとを表示する表示手段と、を有することを特徴とする。
【手続補正５】
【補正対象書類名】明細書
【補正対象項目名】００１１
【補正方法】変更
【補正の内容】
【００１１】
上記対象データを特定する情報（ファイル名）を本文に記載し、上記対象データを添付して、署名欄に上記取得したタイムスタンプデータを格納した中間ＰＤＦファイルを生成する中間ＰＤＦファイル生成手段と、上記取得した保管ＩＤを本文に記載し、上記中間ＰＤＦファイルを添付して署名欄に上記中間ＰＤＦファイルに基づいて上記タイムスタンプ装置により生成されたタイムスタンプデータを格納した包袋ＰＤＦファイルを生成する包袋ＰＤＦファイル生成手段と、をさらに有してもよい。
【手続補正６】
【補正対象書類名】明細書
【補正対象項目名】００１２
【補正方法】変更
【補正の内容】
【００１２】
本発明の一の観点にかかるコンピュータプログラムは、ユーザから要求された対象データに基づいてハッシュ値を含むタイムスタンプデータを発行するタイムスタンプ装置と、当該発行されたタイムスタンプデータに対して一意の保管ＩＤを発行し、この保管ＩＤとタイムスタンプデータとを保管する保管装置と接続可能に構成されたコンピュータを情報管理装置として機能させるコンピュータプログラムであって、上記コンピュータに対して、上記保管装置により発行された保管ＩＤを受け付ける処理と、上記対象データを特定する情報と、タイムスタンプデータと、上記受け付けた保管ＩＤとを関連付けて上記情報管理装置の記憶手段に記憶する処理と、表示要求に応じて、上記記憶手段に記憶された対象データを特定する情報と、タイムスタンプデータと、保管ＩＤとを表示する処理と、を実行させることを特徴とする。
【手続補正７】
【補正対象書類名】明細書
【補正対象項目名】００１３
【補正方法】変更
【補正の内容】
【００１３】
上記対象データを特定する情報を本文に記載し、上記対象データを添付して、署名欄に上記取得したタイムスタンプデータを格納した中間ＰＤＦファイルを生成する処理と、上記記憶手段は、上記取得した保管ＩＤを本文に記載し、上記中間ＰＤＦファイルを添付して署名欄に上記中間ＰＤＦファイルに基づいて上記タイムスタンプ装置により生成されたタイムスタンプデータを格納した包袋ＰＤＦファイルを生成する処理と、をさらに実行させてもよい。